(57)【特許請求の範囲】
【請求項１】
ケーキホルダーに支持させたケーキから引き出したガラスストランドを、スネールワイヤー、アンチノードリング、及び旋回ガイド用リングに旋回自在に保持されたトラベラーに順次挿通し、スピンドル上のボビンに始端を巻き付け、スピンドル及びケーキホルダーの回転と、アンチノードリング及び旋回ガイド用リングの昇降によって、ボビンに均等に巻き取ってパーンを生産する撚糸機において、
各錘のアンチノードリングと旋回ガイド用リングとを昇降させる昇降ベルトを駆動手段から２つに分けて引き出し、一方をアンチノードリングに、他方を旋回ガイド用リングに連結し、アンチノードリングに連結してある昇降ベルトの途中に、アンチノードリングを旋回ガイド用リングとは独立して、パーンの玉揚げ作業時、正規位置からさらに下降させ、パーンの生産開始時にはアンチノードリングを正規位置に戻す調節手段を具備させ、
前記調節手段が、アンチノードリングの上方に配置された固定滑車と、移動滑車と、移動滑車を移動させるアクチュエータとからなり、アンチノードリングに連結した昇降ベルトの途中を前記固定滑車と移動滑車とに掛け渡してあり、
前記アクチュエータの作動部材が、各錘の前記移動滑車に共通して連結してあることを特徴とする撚糸機のアンチノードリング昇降装置。
【発明の詳細な説明】
【０００１】
【発明の属する技術分野】
本発明は、ガラス繊維ストランドに撚りを掛けてボビンに巻取り、パーン（製品）とする撚糸機の巻取り動作中の糸の過剰なバルーニング（膨らみ）を抑制するアンチノードリングの昇降装置の改良に関するものである。
【０００２】
【従来の技術】
一般に、１台の撚糸機には、複数本の回転可能なスピンドルが、列をなして直立して取付けられ、各スピンドル上にはボビンが着脱可能に嵌着されている。即ち、図２の（Ａ）に示すように、各スピンドル１の上方には、紡糸工程で得られたケーキ２からストランドａを引き出し可能に支持させておくケーキホルダー３と、スネールワイヤー４が設置され、また、スピンドル１の周囲には、アンチノードリング５とトラベラー６の旋回ガイド用リング７とが昇降可能に設置されている。そして、ケーキホルダー３に支持させたケーキ２から引き出したストランドａを、スネールワイヤー４、アンチノードリング５及びトラベラー６に順次挿通し、スピンドル１上のボビン８に始端を巻き付けて巻き取りを開始させている。巻取り動作は、スピンドル１とケーキホルダー３を回転駆動することによって開始され、これと共に、アンチノードリング５及びトラベラー６の旋回ガイド用リング７に所定のパターンで昇降運動が付与され、ボビン８への糸ａ’の巻き付け位置を変化させて所定形状のパーン９を形成させるようにしている。なお、トラベラー６とスネールワイヤー４は、ストランドａに撚りを付与して糸（撚糸）ａ’とするために重要な役割を備えている。即ち、先ず、トラベラー６は、ケーキ２から引き出されたストランドａがスネールワイヤー４を経てスピンドル１上のボビン８に巻き取られる際、糸ａ’の張力によってボビン８の周囲を従動的に旋回する。このトラベラー６の旋回動作は、旋回ガイド用リング７によってガイドされ、従って、トラベラー６は、スピンドル１の回転に追従して旋回ガイド用リング７の回りを周回する。このトラベラー６の周回運動により、ストランドａが、スネールワイヤー４を起点として振り回され、これにより、ストランドａに撚りが付与されて糸（撚糸）ａ’とされる。アンチノードリング５は、トラベラー６の上記周回運動によって、ストランドａが振り回されて遠心力作用で大きく膨らむことを抑制すると共に、隣接のものとの干渉を防止させるために使用されるものである。
【０００３】
従来では、アンチノードリング５とトラベラー６の旋回ガイド用リング７とは、図２の（Ｂ）に示すように、昇降ベルト１０ａ、１０ｂにより、昇降させていた。この昇降ベルト１０ａ、１０ｂは、駆動手段１１と２つのガイドプーリー１２、１２とを介して昇降可能に支持され、駆動手段１１を所定のパターンで正逆回転駆動させて昇降ベルト１０ａ、１０ｂを介し、アンチノードリング５とトラベラー６の旋回ガイド用リング７とを昇降動作させ、ボビン８に糸ａ’を均等に巻き取ってパーン９を生産している。
【０００４】
【発明が解決しようとする課題】
従来、満巻となったパーン９をスピンドル１から抜き取る際（玉揚げ作業時）、スネールワイヤー４は、上方に反転退避させ、アンチノードリング５及びトラベラー６の旋回ガイド用リング７は、降下端まで降下させる構造となっている。しかし、アンチノードリング５は、トラベラー６の旋回ガイド用リング７よりも上方の位置で昇降ベルト１０ａに支持されているため、パーン９の抜取りの障害となっており、パーン９の外表面をアンチノードリング５に引っかけて接触させ、製品を損傷させる欠点があった。これを避けるには、パーン９をある高さまで垂直に持ち上げる作業が必要になり、作業効率が悪いという欠点があった。特に、満巻のパーン９は、重量が大きいため、これを垂直に持ち上げる作業は重労働となる。なお、最近では、生産性を上げるため、スピンドル１の回転数が高速化され、糸ａ’のバルーニング（膨らみ）を抑制するアンチノードリング５を複数段に設置するようになってきており、前記欠点等が一層顕著となっている。
【０００５】
本発明は、満巻パーンの玉揚げ作業時の労力の軽減及び製品品質の安定化（損傷防止）を可能とする撚糸機のアンチノードリング昇降装置を提供することを目的としている。
【０００６】
【課題を解決するための手段】
上記目的を達成するため、本発明は、ケーキホルダーに支持させたケーキから引き出したガラスストランドを、スネールワイヤー、アンチノードリング、及び旋回ガイド用リングに旋回自在に保持されたトラベラーに順次挿通し、スピンドル上のボビンに始端を巻き付け、スピンドル及びケーキホルダーの回転と、アンチノードリング及び旋回ガイド用リングの昇降によって、ボビンに均等に巻き取ってパーンを生産する撚糸機において、各錘のアンチノードリングと旋回ガイド用リングとを昇降させる昇降ベルトを駆動手段から２つに分けて引き出し、一方をアンチノードリングに、他方を旋回ガイド用リングに連結し、アンチノードリングに連結してある昇降ベルトの途中に、アンチノードリングを旋回ガイド用リングとは独立して、パーンの玉揚げ作業時、正規位置からさらに下降させ、パーンの生産開始時にはアンチノードリングを正規位置に戻す調節手段を具備させ、この調節手段が、アンチノードリングの上方に配置された固定滑車と、移動滑車と、移動滑車を移動させるアクチュエータとからなり、アンチノードリングに連結した昇降ベルトの途中を固定滑車と移動滑車とに掛け渡してあり、アクチュエータの作動部材が、各錘の移動滑車に共通して連結してある構成を提供する。これにより、パーンの玉揚げ作業時、アンチノードリングによる障害が除去され、労力の軽減及び製品品質の安定化（損傷防止）が図れる。また、パーンの生産時の昇降動作に支障をきたすことなく、円滑にアンチノードリングを昇降させることができる。さらに、アクチュエータの作動部材を、各錘の移動滑車に共通して連結しているので、１つのアクチュエータで全錘一斉に調節動作させることができる。
【０００９】
【発明の実施の形態】
以下、本発明の構成を図面に示す実施例を参照して説明する。図１は本発明装置の適用例を示す撚糸機の要部概略説明図であって、同図において、５はアンチノードリング、７はトラベラー（図示省略）の旋回ガイド用リング、８はボビン、９はパーン、１０は昇降ベルト、１１は駆動手段、１２はガイドプーリー、１３は調節手段を示している。
【００１０】
本発明は、各錘のアンチノードリング５と旋回ガイド用リング７とを昇降させる昇降ベルト１０を駆動手段１１から２つ１０ａ、１０ｂに分けて引き出し、一方１０ａをアンチノードリング５に、他方１０ｂを旋回ガイド用リング７に連結し、アンチノードリング５に連結してある昇降ベルト１０ａの途中に、アンチノードリング５を旋回ガイド用リング７とは独立して、パーン９の玉揚げ作業時、正規位置からさらに下降させ、パーン９の生産開始時にはアンチノードリング５を正規位置に戻す調節手段１３を具備させたものである。
【００１１】
前記調節手段１３は、アンチノードリング５の上方に配置された固定滑車１３ａと、移動滑車１３ｂと、移動滑車１３ｂを移動させるアクチュエータ１３ｃとで構成し、アンチノードリング５に連結した昇降ベルト１０ａの途中を前記固定滑車１３ａと移動滑車１３ｂとに掛け渡した構成としている。
【００１２】
また、前記アクチュエータ１３ｃの作動部材１３ｄは、各錘の前記移動滑車１３ｂの支持部材１３ｅに連結して全錘一斉に調節動作させるようにしている。なお、前記アクチュエータ１３ｃは、各錘で独立させて設置してもよい。
【００１３】
前記アクチュエータ１３ｃは、作動部材１３ｄを往復移動可能とするもので、例えば、モータで正逆回転駆動可能としたスクリュージャッキで構成し、或いは、ラック・ピニオンやリンク機構等の機械的手段で構成し、又は、空気圧シリンダや油圧シリンダ等の流体圧手段で構成し、その他、ソレノイド等の電気的手段で構成することができる。
【００１４】
本発明の装置は、以上の構成からなり、次に、全体の動作を図１及び図２の（Ａ）を参照しつつ簡単に説明する。先ず、空のボビン８がスピンドル１に嵌着され、ケーキ２から引き出したストランドａの始端を、スネールワイヤー４、アンチノードリング５及びトラベラー６に順次挿通し、スピンドル１上のボビン８に始端を巻き付けて巻き取りを開始させる。これによって、スピンドル１とケーキホルダー３が回転し、トラベラー６が追従してボビン８の回りを周回し、ストランドａに撚りを与えて糸ａ’を形成しながらボビン８に巻き取る。そして、駆動手段１１がスピンドル１の回転速度と関連して所定のパターンで正逆回転駆動され、昇降ベルト１０ａ、１０ｂを介してアンチノードリング５と旋回ガイド用リング７を正規位置関係を保持して昇降運動させ、糸ａ’のバルーニングを抑制しつつボビン８に対する糸ａ’の巻取り位置を変化させて所定の巻き姿を有するパーン９を形成させる。この巻取り動作中、調節手段１３は、アンチノードリング５を正規位置に保持させた状態で待機している。パーン９が満巻に達すると、スピンドル１とケーキホルダー３の回転が停止され、駆動手段１１は、昇降ベルト１０ａ、１０ｂを介してアンチノードリング５と旋回ガイド用リング７とを降下端位置まで降下させ、満巻パーン９の玉揚げ作業が開始される。このとき、調節手段１３が動作し、昇降ベルト１０ａを介してアンチノードリング５を正規位置からさらに下方へ降下させる。即ち、図１において、アクチュエータ１３ｃが作動部材１３ｄを同図右側へ所定距離移動させる。これにより、作動部材１３ｄに連結された支持部材１３ｅを介して各錘の移動滑車１３ｂが同図右側へ一斉に移動し、アンチノードリング５が自重で降下する。各錘の満巻のパーン９が機台の一端から順次玉揚げされ、その後に次の空ボビン８が差し込まれる。このとき、各錘のアンチノードリング５が調節手段１３によって、正規位置よりも下方に降下させてあることにより、玉揚げの障害にならず、作業者の労力が軽減されると共に、製品を損傷させることも防止される。そして、玉揚げが終了し、次の空ボビン８の装着が完了すると、次の巻取りが開始される。このとき、調節手段１３は、アンチノードリング５を正規位置に戻す。即ち、図１のアクチュエータ１３ｃが作動部材１３ｄを同図左側に所定距離復帰移動させ、支持部材１３ｅを介して各錘の移動滑車１３ｂを一斉に同図左側に移動させ、昇降ベルト１０ａによりアンチノードリング５を正規位置に上昇復帰させる。以後、前記動作を繰返すものである。
【００１５】
【発明の効果】
本発明によれば、パーンの玉揚げ作業時、アンチノードリングによる障害が除去され、労力の軽減及び製品品質の安定化（損傷防止）が図れる。また、アンチノードリングの上方に配置された固定滑車と、移動滑車と、移動滑車を移動させるアクチュエータとで調節手段を構成し、アンチノードリングに連結した昇降ベルトの途中を固定滑車と移動滑車とに掛け渡した構成としたので、パーンの生産時の昇降動作に支障をきたすことなく円滑にアンチノードリングを昇降させることができる。さらに、アクチュエータの作動部材を、各錘の移動滑車に共通して連結したので、１つのアクチュエータで全錘一斉に調節動作させることができ、設備費、運転経費を安価とでき、メンテナンスも有利である。
【図面の簡単な説明】
【図１】本発明装置の適用例を示す撚糸機の要部概略説明図。
【図２】（Ａ）は撚糸機の要部の構成を示す概略正面図、（Ｂ）は従来のアンチノードリング昇降装置の要部概略説明図。
【符号の説明】
１    スピンドル
２    ケーキ
３    ケーキホルダー
４    スネールワイヤー
５    アンチノードリング
６    トラベラー
７    旋回ガイド用リング
８    ボビン
９    パーン
１０、１０ａ、１０ｂ    昇降ベルト
１１    駆動手段
１２    ガイドプーリー
１３    調節手段
１３ａ  固定滑車
１３ｂ  移動滑車
１３ｃ  アクチュエータ
１３ｄ  作動部材
１３ｅ  支持部材
【図１】
0003596275.tif 000002
【図２】
0003596275.tif 000003